【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
それぞれネットワークを介して接続されたサーバ装置及び複数のユーザ装置により実行される方法であって、
事業に活用される複数種類の資源のうち、少なくともいずれかの資源の需要元となり得るユーザにより操作される第１ユーザ装置及び前記少なくともいずれかの資源の供給元となり得るユーザにより操作される第２ユーザ装置が、それぞれ、事業に対する当該資源の関わり度合いを、当該資源の種類を表す種類データと、適合して欲しい範囲を絞り込むための範囲データと、当該資源の特徴を互いに視点が異なる複数種類の評価ルールに基づいて定量化した特徴データとを含む定量データ群に変換するとともに、当該資源について他のユーザに伝達するための特徴情報を、他のユーザ装置が認識可能なデータ形式の通用データに変換し、前記定量データ群及び前記通用データを当該資源の需要元又は供給元を識別するための需給ＩＤと共に、前記サーバ装置へ送信する段階と、
前記サーバ装置が、前記第１ユーザ装置及び前記第２ユーザ装置より受信した定量データ群及び通用データを、それぞれ前記需給ＩＤと対応付けて所定の記憶装置に蓄積するとともに、蓄積されている定量データ群のうち前記特徴データの表す特徴同士の比較を、前記種類データの表す資源の種類について前記需給ＩＤにより特定される需要元と供給元の組毎に行うことにより、当該資源の需要と供給との適合度を判別し、前記第１ユーザ装置には前記適合度が前記範囲データの表す範囲となる供給元の通用データを提供可能にし、他方、前記第２ユーザ装置には前記適合度が前記範囲データの表す範囲となる需要元の通用データを提供可能にする段階とを含む、
資源の活用支援方法。
【請求項２】
ネットワークを介して接続されるサーバ装置と共に、資源活用支援のためのネットワークシステムを構成する情報処理装置であって、
自装置を操作するユーザが、事業に活用される複数種類の資源のうち需要のある前記資源又は供給可能な前記資源の前記事業に対する関わり度合いを、当該資源の種類を表す種類データと、適合して欲しい範囲を絞り込むための範囲データと、当該資源の特徴を互いに視点が異なる複数種類の評価ルールに基づいて定量化した特徴データとを含む定量データ群に変換する第１のデータ変換手段と、
前記需要のある資源又は前記供給可能な資源について他のユーザに認識させるための特徴情報を、前記サーバ装置及び他の情報処理装置が認識可能なデータ形式の通用データに変換する第２のデータ変換手段と、
前記定量データ群及び前記通用データを、それぞれ当該資源の需要元又は供給元を識別するための需給ＩＤと共に前記サーバ装置へ送信するとともに、前記定量データ群のうち前記特徴データの表す特徴同士の比較を、前記種類データの表す資源の種類について前記需給ＩＤにより特定される需要元及び供給元の組毎に行うことにより、当該資源の需要と供給との適合度を前記範囲データの表す範囲で判別した前記サーバ装置から、供給元の前記通用データを含む供給元情報、又は、需要元の前記通用データを含む需要元情報のいずれかを受信する通信手段と、
この通信手段で受信した供給元情報又は需要元情報を、所定の出力装置を通じて前記ユーザへ提示可能にする出力制御手段とを有する、
情報処理装置。
【請求項３】
キーワード毎に収集した、当該キーワードから連想され得る情報であって前記ユーザ以外の者により選定され、あるいは、前記ユーザ以外の者の行為に起因して生じたセレンディピティ（serendipity）情報を当該キーワードと関連付けて蓄積した連想支援ＤＢをさらに備えており、
前記第２のデータ変換手段は、前記特徴情報に含まれるキーワードに対応する前記セレンディピティ情報を前記連想支援ＤＢより抽出し、抽出したセレンディピティ情報を当該特徴情報に含めて前記通用データに変換する、
請求項２記載の情報処理装置。
【請求項４】
前記第１のデータ変換手段は、前記資源の特徴に含まれるキーワードに対応する前記セレンディピティ情報を前記連想支援ＤＢより抽出し、抽出したセレンディピティ情報を当該資源の前記特徴に含めて前記定量データ群に変換する、
請求項３記載の情報処理装置。
【請求項５】
ネットワークを介して接続される複数のユーザ装置と共に、資源活用支援のためのネットワークシステムを構成する情報処理装置であって、
各ユーザ装置から、事業に活用される複数種類の資源のうち需要のある前記資源又は供給可能な前記資源の前記事業との関わり度合いが、当該資源の種類を表す種類データと、適合して欲しい範囲を絞り込むための範囲データと、当該資源の特徴が互いに視点の異なる複数種類の評価ルールに基づいて定量化された特徴データとを含む定量データ群、及び、当該資源について他のユーザ装置に認識させるための特徴情報が他のユーザ装置が認識可能なデータ形式に変換された通用データを、それぞれ当該資源の需要元又は供給元を識別するための需給ＩＤと共に受信する受信手段と、
受信した各ユーザ装置からの前記定量データ群並びに前記通用データを前記需給ＩＤと対応付けて蓄積する需給ＤＢと、
この需給ＤＢに蓄積されている定量データ群のうち前記特徴データの表す特徴同士の比較を、前記種類データの表す資源の種類について前記需給ＩＤにより特定される需要元と供給元の組毎に行うことにより需給の適合度を判別し、需要元に係るユーザ装置には前記適合度が前記範囲データの表す範囲となる供給元の通用データを含む供給元情報を提供可能にし、他方、供給元に係るユーザ装置には前記適合度が前記範囲データの表す範囲となる需要元の通用データを含む需要元情報を提供可能にする需給管理手段と、を備えて成る、情報処理装置。
【請求項６】
前記需給管理手段は、各ユーザ装置から、そのユーザ装置を操作するユーザの属性を間接的に識別するための間接ＩＤを受信し、受信した間接ＩＤを当該ユーザ装置からの前記通用データと関連付けて蓄積して、当該資源の需要元が複数となる場合には、前記供給元の通用データを提供する際に当該供給元の間接ＩＤを提供可能にするとともに他の需要元の間接ＩＤを秘匿し、他方、当該資源の供給元が複数となる場合には、前記需要元の通用データを提供する際に、当該需要元の間接ＩＤを提供可能にするとともに他の供給元の間接ＩＤを秘匿する、
請求項５記載の情報処理装置。
【請求項７】
複数のキーワードを、個々のキーワードを識別するためのＩＤと共に格納したキーワードＤＢと、
前記キーワードＤＢに格納されているいずれかのキーワードを標題キーワードとして定めるとともに、ソース・ドキュメント・データから抽出した、前記標題キーワードを除く複数のキーワードのうち、前記キーワードＤＢに格納されているものと同じキーワードをそれぞれ連想キーワードとして定め、前記ソース・ドキュメント・データにおける前記連想キーワード毎の出現頻度を導出するキーワード管理手段と、
前記標題キーワードと導出された各連想キーワードについてのＩＤとをそれぞれ前記キーワードＤＢから抽出するとともに、各連想キーワードのＩＤ並びに各々の連想キーワードについて導出された前記出現頻度を前記標題キーワードと関連付けることにより、前記標題キーワード毎に、当該標題キーワードと各連想キーワードとの関連性を表す関連性テーブルを生成し又はその記録情報を更新するテーブル管理手段と、
前記資源の活用支援に関わる情報を検索するための検索キーワード候補の入力を受け付けるキーワード候補受付手段と、
このキーワード候補受付手段で受け付けた検索キーワード候補に適合する標題キーワードについての関連性テーブルが存在するかどうかをサーチし、存在するときはその関連性テーブルに記録されている複数のＩＤに基づいて前記キーワードＤＢから各ＩＤに対応する連想キーワードを抽出し、抽出した各連想キーワードを、検索キーワードとして採用され得る潜在検索キーワードとして前記検索キーワード候補の発信元に提供する検索手段とをさらに有する、
請求項５記載の情報処理装置。
【請求項８】
前記キーワード管理手段は、前記ソース・ドキュメント・データのうち標題領域から抽出した複数の抽出キーワードの当該標題領域での出現頻度を計測するとともに、これらの抽出キーワードと同じキーワードが前記キーワードＤＢに格納されているかどうかをサーチし、格納されていた場合に最も出現頻度の高い抽出キーワードと同じキーワードを前記標題キーワードとして定める、
請求項７記載の情報処理装置。
【請求項９】
前記発信元に提供された各連想キーワードが検索キーワードとして採用されたことを連想キーワード毎に検知する検知手段を有しており、
前記テーブル管理手段は、前記検知手段による検知回数を当該連想キーワードのＩＤと関連付けて前記関連性テーブルに累積的に記録し、この検知回数の累積値を当該連想キーワードの利用度を表す情報として扱う、
請求項８記載の情報処理装置。
【請求項１０】
前記検索手段は、前記関連性テーブルの記録情報に基づいて、前記出現頻度が相対的に高いいくつかの連想キーワードのＩＤ、前記出現頻度が相対的に低いいくつかの連想キーワードのＩＤ、前記利用度が相対的に高いいくつかの連想キーワードのＩＤ、前記利用度が相対的に低いいくつかの連想キーワードのＩＤ、前記出現頻度又は前記利用度のうち前記発信元が指定した範囲内の連想キーワードのＩＤの少なくともいずれかを特定し、特定したＩＤに対応する連想キーワードを前記キーワードＤＢから抽出する、
請求項９記載の情報処理装置。
【請求項１１】
コンピュータを、ネットワークを介して接続されるサーバ装置と共に、資源活用支援のためのネットワークシステムを構成するユーザ装置として動作させるためのコンピュータプログラムであって、前記コンピュータを、
自装置を操作するユーザが、事業に活用される複数種類の資源のうち需要のある前記資源又は供給可能な前記資源の前記事業との関わり度合いを、当該資源の種類を表す種類データと、適合して欲しい範囲を絞り込むための範囲データと、当該資源の特徴を互いに視点の異なる複数種類の評価ルールに基づいて定量化した特徴データとを含む定量データ群に変換する第１のデータ変換手段、
前記需要のある資源又は前記供給可能な資源について他のユーザに認識させるための特徴情報を、前記サーバ装置及び他の情報処理装置が認識可能なデータ形式の通用データに変換する第２のデータ変換手段、
前記定量データ群及び前記通用データを、それぞれ当該資源の需要元又は供給元を識別するための需給ＩＤと共に前記サーバ装置へ送信するとともに、前記定量データ群のうち前記特徴データの表す特徴同士の比較を、前記種類データの表す資源の種類について前記需給ＩＤにより特定される需要元及び供給元の組毎に行うことにより、当該資源の需要と供給との適合度を前記範囲データの表す範囲で判別した前記サーバ装置から、供給元の前記通用データを含む供給元情報、又は、需要元の前記通用データを含む需要元情報のいずれかを受信する通信手段、及び、前記通信手段で受信した供給元情報又は需要元情報を、所定の出力装置を通じて前記ユーザへ提示可能にする出力制御手段、として機能させる、
資源活用のためのコンピュータプログラム。
【請求項１２】
記憶装置を有するコンピュータを、ネットワークを介して接続される複数のユーザ装置と共に、資源活用支援のためのネットワークシステムを構成するサーバ装置として動作させるためのコンピュータプログラムであって、前記記憶装置に需給ＤＢを構築するとともに、前記コンピュータを、
各ユーザ装置から、事業に活用される複数種類の資源のうち需要のある前記資源又は供給可能な前記資源の前記事業との関わり度合いが、当該資源の種類を表す種類データと、適合して欲しい範囲を絞り込むための範囲データと、当該資源の特徴が互いに視点の異なる複数種類の評価ルールに基づいて定量化された特徴データとを含む定量データ群、及び、当該資源について他のユーザ装置に認識させるための特徴情報が他のユーザ装置が認識可能なデータ形式に変換された通用データを、それぞれ前記資源の需要元又は供給元を識別するための需給ＩＤと共に受信する受信手段、
受信した各ユーザ装置からの前記定量データ群並びに前記通用データを前記需給ＩＤと対応付けて前記需給ＤＢに蓄積するＤＢ管理手段、
この需給ＤＢに蓄積されている定量データ群のうち前記特徴データの表す特徴同士の比較を、前記種類データの表す資源の種類について前記需給ＩＤにより特定される需要元と供給元の組毎に行うことにより需給の適合度を判別し、需要元に係るユーザ装置には前記適合度が前記範囲データの表す範囲となる供給元の通用データを含む供給元情報を提供可能にし、他方、供給元に係るユーザ装置には前記適合度が前記範囲データの表す範囲となる需要元の通用データを含む需要元情報を提供可能にする需給管理手段、として機能させる、
資源活用支援のためのコンピュータプログラム。
【手続補正２】
【補正対象書類名】明細書
【補正対象項目名】００１６
【補正方法】変更
【補正の内容】
【００１６】
本発明が提供する資源の活用支援方法は、それぞれネットワークを介して接続されたサーバ装置及び複数のユーザ装置により実行される方法であって、以下の段階を、その実行の手順として含む方法である。
（１−１）それぞれネットワークを介して接続されたサーバ装置及び複数のユーザ装置により実行される方法であって、事業に活用される複数種類の資源のうち、少なくともいずれかの資源の需要元となり得るユーザにより操作される第１ユーザ装置及び前記少なくともいずれかの資源の供給元となり得るユーザにより操作される第２ユーザ装置が、それぞれ、事業に対する当該資源の関わり度合いを、当該資源の種類を表す種類データと、適合して欲しい範囲を絞り込むための範囲データと、当該資源の特徴を互いに視点が異なる複数種類の評価ルールに基づいて定量化した特徴データとを含む定量データ群に変換するとともに、当該資源について他のユーザに伝達するための特徴情報を、他のユーザ装置が認識可能なデータ形式の通用データに変換し、前記定量データ群及び前記通用データを当該資源の需要元又は供給元を識別するための需給ＩＤと共に、前記サーバ装置へ送信する段階。
（１−２）前記サーバ装置が、前記第１ユーザ装置及び前記第２ユーザ装置より受信した定量データ群及び通用データを、それぞれ前記需給ＩＤと対応付けて所定の記憶装置に蓄積するとともに、蓄積されている定量データ群のうち前記特徴データの表す特徴同士の比較を、前記種類データの表す資源の種類について前記需給ＩＤにより特定される需要元と供給元の組毎に行うことにより、当該資源の需要と供給との適合度を判別し、前記第１ユーザ装置には前記適合度が前記範囲データの表す範囲となる供給元の通用データを提供可能にし、他方、前記第２ユーザ装置には前記適合度が前記範囲データの表す範囲となる需要元の通用データを提供可能にする段階。
【手続補正３】
【補正対象書類名】明細書
【補正対象項目名】００２１
【補正方法】変更
【補正の内容】
【００２１】
本発明の情報処理装置は、上述した第１ユーザ装置又は第２ユーザ装置として動作する第１の情報処理装置と、上述したサーバ装置として動作する第２の情報処理装置である。
第１の情報処理装置は、ネットワークを介して接続されるサーバ装置と共に、資源活用支援のためのネットワークシステムを構成する装置であって、以下の構成要素を有するものである。
（２−１）自装置を操作するユーザが、事業に活用される複数種類の資源のうち需要のある前記資源又は供給可能な前記資源の前記事業に対する関わり度合いを、当該資源の種類を表す種類データと、適合して欲しい範囲を絞り込むための範囲データと、当該資源の特徴を互いに視点が異なる複数種類の評価ルールに基づいて定量化した特徴データとを含む定量データ群に変換する第１のデータ変換手段。
（２−２）前記需要のある資源又は前記供給可能な資源について他のユーザに認識させるための特徴情報を、前記サーバ装置及び他の情報処理装置が認識可能なデータ形式の通用データに変換する第２のデータ変換手段。
（２−３）前記定量データ群及び前記通用データを、それぞれ当該資源の需要元又は供給元を識別するための需給ＩＤと共に前記サーバ装置へ送信するとともに、前記定量データ群のうち前記特徴データの表す特徴同士の比較を、前記種類データの表す資源の種類について前記需給ＩＤにより特定される需要元及び供給元の組毎に行うことにより、当該資源の需要と供給との適合度を前記範囲データの表す範囲で判別した前記サーバ装置から、供給元の前記通用データを含む供給元情報、又は、需要元の前記通用データを含む需要元情報のいずれかを受信する通信手段。
（２−４）この通信手段で受信した供給元情報又は需要元情報を、所定の出力装置を通じて前記ユーザへ提示可能にする出力制御手段。
【手続補正４】
【補正対象書類名】明細書
【補正対象項目名】００２３
【補正方法】変更
【補正の内容】
【００２３】
第２の情報処理装置は、ネットワークを介して接続される複数のユーザ装置と共に、資源活用支援のためのネットワークシステムを構成する情報処理装置であって、以下の構成要素を有するものである。
（３−１）各ユーザ装置から、事業に活用される複数種類の資源のうち需要のある前記資源又は供給可能な前記資源の前記事業との関わり度合いが、当該資源の種類を表す種類データと、適合して欲しい範囲を絞り込むための範囲データと、当該資源の特徴が互いに視点の異なる複数種類の評価ルールに基づいて定量化された特徴データとを含む定量データ群、及び、当該資源について他のユーザ装置に認識させるための特徴情報が他のユーザ装置が認識可能なデータ形式に変換された通用データを、それぞれ当該資源の需要元又は供給元を識別するための需給ＩＤと共に受信する受信手段。
（３−２）受信した各ユーザ装置からの前記定量データ群並びに前記通用データを前記需給ＩＤと対応付けて蓄積する需給ＤＢ。
（３−３）この需給ＤＢに蓄積されている定量データ群のうち前記特徴データの表す特徴同士の比較を、前記種類データの表す資源の種類について前記需給ＩＤにより特定される需要元と供給元の組毎に行うことにより需給の適合度を判別し、需要元に係るユーザ装置には前記適合度が前記範囲データの表す範囲となる供給元の通用データを含む供給元情報を提供可能にし、他方、供給元に係るユーザ装置には前記適合度が前記範囲データの表す範囲となる需要元の通用データを含む需要元情報を提供可能にする需給管理手段。
この需給管理手段は、各ユーザ装置から、そのユーザ装置を操作するユーザの属性を間接的に識別するための間接ＩＤを受信し、受信した間接ＩＤを当該ユーザ装置からの前記通用データと関連付けて蓄積して、当該資源の需要元が複数となる場合には、前記供給元の通用データを提供する際に当該供給元の間接ＩＤを提供可能にするとともに他の需要元の間接ＩＤを秘匿し、他方、当該資源の供給元が複数となる場合には、前記需要元の通用データを提供する際に、当該需要元の間接ＩＤを提供可能にするとともに他の供給元の間接ＩＤを秘匿するようにしても良い。
【手続補正５】
【補正対象書類名】明細書
【補正対象項目名】００２８
【補正方法】変更
【補正の内容】
【００２８】
検索者であるユーザに、資源活用に対する多くの「気づき」を与えるために、前記検索手段を、前記関連性テーブルの記録情報に基づいて、前記出現頻度が相対的に高いいくつかの連想キーワードのＩＤ、前記出現頻度が相対的に低いいくつかの連想キーワードのＩＤ、前記利用度が相対的に高いいくつかの連想キーワードのＩＤ、前記利用度が相対的に低いいくつかの連想キーワードのＩＤ、前記出現頻度又は前記利用度のうち前記発信元が指定した範囲内の連想キーワードのＩＤの少なくともいずれかを特定し、特定したＩＤに対応する連想キーワードを前記キーワードＤＢから抽出するように構成しても良い。  
【手続補正６】
【補正対象書類名】明細書
【補正対象項目名】００２９
【補正方法】変更
【補正の内容】
【００２９】
本発明の第１のコンピュータプログラムは、コンピュータを、ネットワークを通じて接続されるサーバ装置と共に、資源活用支援のためのネットワークシステムを構成するユーザ装置として動作させるためのコンピュータプログラムであって、
前記コンピュータを、
自装置を操作するユーザが、事業に活用される複数種類の資源のうち需要のある前記資源又は供給可能な前記資源の前記事業に対する関わり度合いを、当該資源の種類を表す種類データと、適合して欲しい範囲を絞り込むための範囲データと、当該資源の特徴を互いに視点が異なる複数種類の評価ルールに基づいて定量化した特徴データとを含む定量データ群に変換する第１のデータ変換手段、前記需要のある資源又は前記供給可能な資源について他のユーザに認識させるための特徴情報を、前記サーバ装置及び他の情報処理装置が認識可能なデータ形式の通用データに変換する第２のデータ変換手段、前記定量データ群及び前記通用データを、それぞれ当該資源の需要元又は供給元を識別するための需給ＩＤと共に前記サーバ装置へ送信するとともに、前記定量データ群のうち前記特徴データの表す特徴同士の比較を、前記種類データの表す資源の種類について前記需給ＩＤにより特定される需要元及び供給元の組毎に行うことにより、当該資源の需要と供給との適合度を前記範囲データの表す範囲で判別した前記サーバ装置から、供給元の前記通用データを含む供給元情報、又は、需要元の前記通用データを含む需要元情報のいずれかを受信する通信手段、及び、この通信手段で受信した供給元情報又は需要元情報を、所定の出力装置を通じて前記ユーザへ提示可能にする出力制御手段、として機能させる、資源活用のためのコンピュータプログラムである。  
【手続補正７】
【補正対象書類名】明細書
【補正対象項目名】００３０
【補正方法】変更
【補正の内容】
【００３０】
本発明の第２のコンピュータプログラムは、記憶装置を有するコンピュータを、ネットワークを通じて接続可能な複数のユーザ装置と共に、資源活用支援のためのネットワークシステムを構成するサーバ装置として動作させるためのコンピュータプログラムであって、前記記憶装置に需給ＤＢを構築するとともに、
前記コンピュータを、
各ユーザ装置から、事業に活用される複数種類の資源のうち需要のある前記資源又は供給可能な前記資源の前記事業との関わり度合いが、当該資源の種類を表す種類データと、適合して欲しい範囲を絞り込むための範囲データと、当該資源の特徴が互いに視点の異なる複数種類の評価ルールに基づいて定量化された特徴データとを含む定量データ群、及び、当該資源について他のユーザ装置に認識させるための特徴情報が他のユーザ装置が認識可能なデータ形式に変換された通用データを、それぞれ当該資源の需要元又は供給元を識別するための需給ＩＤと共に受信する受信手段、
受信した各ユーザ装置からの前記定量データ群並びに前記通用データを前記需給ＩＤと対応付けて前記需給ＤＢに蓄積するＤＢ管理手段、
この需給ＤＢに蓄積されている定量データ群のうち前記特徴データの表す特徴同士の比較を、前記種類データの表す資源の種類について前記需給ＩＤにより特定される需要元と供給元の組毎に行うことにより需給の適合度を判別し、需要元に係るユーザ装置には前記適合度が前記範囲データの表す範囲となる供給元の通用データを含む供給元情報を提供可能にし、他方、供給元に係るユーザ装置には前記適合度が前記範囲データの表す範囲となる需要元の通用データを含む需要元情報を提供可能にする需給管理手段、として機能させる、資源活用支援のためのコンピュータプログラムである。